(57)【要約】操作ハンドル（１８）のベース部（１８ｂ）とカバー（２１）に形成したハンドル窓枠（２１ａ）との間に、摘み部（１８ａ）を遊嵌する遊嵌穴（２４ａ）を形成してベース部上に配置した第１シャッター（２４）と、摘み部とともに移動する第２シャッター（２５）とを備え、操作ハンドルのＯＮ，ＯＦＦ位置において、第１シャッターをハンドル窓枠の前後端縁から前後方向に延在させて前記ハンドル窓枠を閉塞し、第２シャッターで前記遊嵌穴の前後端縁から前後方向に延在させて前記遊嵌穴を閉塞するようにした。
2014162662.tif 000002
【特許請求の範囲】
【請求項１】
ケースとカバーからなる本体ケースに、操作ハンドルを含む遮断器機能部品を搭載し、前記操作ハンドルが、揺動式ハンドルレバーの頂部に結合した鍔状のベースの上面から摘み部が起立した状態とし、前記摘み部を前記カバーに開口したハンドル窓枠を貫通して外方に突き出し、
前記操作ハンドルの前記ベース部と前記ハンドル窓枠との間に、前記摘み部を遊嵌する遊嵌穴を形成して前記ベース部上に配置した第１シャッターと、前記摘み部とともに移動する第２シャッターとを備え、
前記操作ハンドルのＯＮ，ＯＦＦ位置において、前記第１シャッターを前記ハンドル窓枠の前後端縁から前後方向に延在させて前記ハンドル窓枠を閉塞し、前記第２シャッターで前記遊嵌穴の前後端縁から前後方向に延在させて前記遊嵌穴を閉塞することを特徴とする回路遮断器。
【請求項２】
前記第１シャッターに形成した前記遊嵌穴は、前記摘み部の移動方向を長手方向とした長穴であり、当該遊嵌穴の長手方向の端部に前記摘み部が当接したときに前記第１シャッターがストロークすることを特徴とする請求項１記載の回路遮断器。
【請求項３】
前記第２シャッターは嵌合穴を形成して前記摘み部の基部を嵌め込み、前記摘み部とともに一体に移動することを特徴とする請求項１又は２記載の回路遮断器。
【請求項４】
前記第１シャッターの上部に前記第２シャッターが配置されているとともに、前記第１シャッターに、前記第２シャッターの移動方向を案内する案内部を備えていることを特徴とする請求項１記載の回路遮断器。
【請求項５】
前記第２シャッターは、操作ハンドルのＯＮ，ＯＦＦを表示する表示銘板であることを特徴とする請求項１記載の回路遮断器。
【発明の詳細な説明】
【技術分野】
【０００１】
本発明は、配線用遮断器，回路遮断器などを対象とした回路遮断器に係わり、詳しくは本体ケースに開口したハンドル窓枠から塵埃が侵入するのを防止する構造である。
【背景技術】
【０００２】
図７は、従来の回路遮断器を示すものである。１はモールド樹脂製のケース、２はモールド樹脂製のカバーであり、ケース１には電源側端子板３、第２可動接触子４、第１可動接触子５、消弧室６、開閉機構７、操作ハンドル８、過電流引外し装置９、負荷側端子板１０などが納められている。
操作ハンドル８は、断面円弧状の鍔状のベース部８ａの中央から上方に摘み部８ｂが起立した形状の樹脂成形品でベース部８ａを揺動式ハンドルレバー１１の頂部に結合し、カバー２に開口したハンドル窓枠２ａを貫通して外部に突き出した摘み部８ｂを、手動でＯＮ，ＯＦＦ位置に操作する（例えば、特許文献１参照）。【０００３】
ところで、カバー２に開口したハンドル窓枠２ａを通じてケース１の内部に塵埃が侵入するのを防ぐには、摘み部８ｂの可動方向に延在するベース部８ａの寸法を、ハンドル窓枠２ａに対して大きな寸法に設定することが考えられる。しかし、他の遮断機能部品の配置スペースとの関係で、操作ハンドル８のベース部８ａを大型に設定するのは難しく、回路遮断器全体が大型になるおそれがある。
そこで、本出願人は、特許文献２において、ベース部とハンドル窓枠との間に、摘み部に外嵌した状態でシート状のハンドルシャッターを布設し、このハンドルシャッターを摘み部とともに移動させることで、ベース部とハンドル窓枠との間の隙間を塞ぐとともに、寸法の小さなベース部とすることで操作ハンドル８の小型化を図った技術を提案した。
【先行技術文献】
【特許文献】
【０００４】
【特許文献１】特許第３２９６４６０号
【特許文献２】特許第４２５３７０１号
【発明の概要】
【発明が解決しようとする課題】
【０００５】
しかし、特許文献２の技術は、ケース１内部で摘み部とともに移動するハンドルシャッターの大きな可動スペースが必要なことから、他の遮断機能部品との配置スペースで制約がある。
そこで、本発明は、ベース部とハンドル窓枠との間の隙間を小さな可動スペースで閉塞して塵埃が侵入するのを防止する閉塞手段を備え、小型化を図ることができる回路遮断器を提供することを目的としている。
【課題を解決するための手段】
【０００６】
上記目的を達成するために、本発明の一態様に係る回路遮断器は、ケースとカバーからなる本体ケースに、操作ハンドルを含む遮断器機能部品を搭載し、上記操作ハンドルが、揺動式ハンドルレバーの頂部に結合した鍔状のベースの上面から摘み部が起立した状態とし、上記摘み部を上記カバーに開口したハンドル窓枠を貫通して外方に突き出し、上記操作ハンドルの上記ベース部と上記ハンドル窓枠との間に、上記摘み部を遊嵌する遊嵌穴を形成して上記ベース部上に配置した第１シャッターと、上記摘み部とともに移動する第２シャッターとを備え、上記操作ハンドルのＯＮ，ＯＦＦ位置において、上記第１シャッターを上記ハンドル窓枠の前後端縁から前後方向に延在させて前記ハンドル窓枠を閉塞し、上記第２シャッターで上記遊嵌穴の前後端縁から前後方向に延在させて上記遊嵌穴を閉塞するようにした。
この発明の一態様に係る回路遮断器によると、第１シャッター及び第２シャッターからなる二段シャッター構造によってベース部とハンドル窓枠との間の隙間を閉塞することができ、ハンドル窓枠から装置内部に塵埃が侵入するのを防止することができる。【０００７】
また、本発明の一態様に係る回路遮断器は、上記第１シャッターに形成した上記遊嵌穴は、上記摘み部の移動方向を長手方向とした長穴であり、当該遊嵌穴の長手方向の端部に摘み部が当接したときに上記第１シャッターがストロークする。
この発明の一態様に係る回路遮断器によると、操作ハンドルがＯＮ，ＯＦＦ位置に移動するときには、第１シャッターが短いストロークで移動し、ケース本体内部に搭載した他の遮断器機能部品と不当に干渉するおそれがないので、小型化を図ることができる。【０００８】
また、本発明の一態様に係る回路遮断器は、上記第２シャッターは上記嵌合穴を形成して上記摘み部の基部を嵌め込み、上記摘み部とともに一体に移動するようにしている。
また、本発明の一態様に係る回路遮断器は、上記第１シャッターの上部に上記第２シャッターが配置されているとともに、上記第１シャッターに、上記第２シャッターの移動方向を案内する案内部を備えている。
この発明の一態様に係る回路遮断器によると、摘み部とともに移動する第２シャッターのスムーズな移動を実現することができる。【０００９】
また、本発明の一態様に係る回路遮断器は、上記第２シャッターが、上記操作ハンドルのＯＮ，ＯＦＦを表示する表示銘板である。
この発明の一態様に係る回路遮断器によると、表示銘板は、回路遮断器の動作表示機能とともに、装置内部への塵埃侵入を防止する部材を兼ねているので、装置コストの低減化を図ることができる。
【発明の効果】
【００１０】
本発明に係る回路遮断器によれば、ベース部とハンドル窓枠との間の隙間を閉塞して塵埃が侵入することができるとともに、小型化を図ることができる。
【図面の簡単な説明】
【００１１】
【図１】本発明に係る回路遮断器の外観を示す斜視図である。
【図２】本発明に係る回路遮断器の分解斜視図である。
【図３】本発明に係る回路遮断器の操作ハンドルをＯＦＦ位置に移動した状態を示す要部断面図である。
【図４】図３のＡ−Ａ線矢視図である。
【図５】本発明に係る回路遮断器の操作ハンドルをＯＮ位置に移動した状態を示す要部断面図である。
【図６】図５のＢ−Ｂ線矢視図である。
【図７】従来の回路遮断器を示す横断面図である。
【発明を実施するための形態】
【００１２】
以下、本発明を実施するための形態（以下、実施形態という。）を、図面を参照しながら詳細に説明する。
図１は、本発明に係る回路遮断器１５の外観を示す斜視図、図２は、回路遮断器１５の分解斜視図である。
図１に示すように、本実施形態の回路遮断器１５は、樹脂モールドで形成したカバー１６及びケース１７を備え、カバー１６の上面に開口して形成した長方形状のハンドル窓枠２１ａから、後述する操作ハンドル１８の摘み部１８ａが外部に突出している。
【００１３】
ケース１７は、回路遮断器１５の底部を形成する下部ケース１９と、下部ケース１９の上部に装着される中間ケース２０とで構成されている。
カバー１６は、中間ケース２０の上部に装着され、ハンドル窓枠２１ａを形成した上部カバー２１と、上部カバー２１に回動自在に装着されて開閉動作を行う補助カバー２１ｃとで構成されている。図２に示すように、カバー１６には、補助カバー２１ｃを開けると、付属スイッチ（不図示）を接続可能な接続部２１ｂが形成されている。
【００１４】
図２に示すように、ケース１７内には、過電流引外し装置２２及び開閉機構２３が収納されており、過電流引外し装置２２は、固定接触子（不図示）に連結され、開閉機構２３は可動接触子（不図示）とトグルリンク（不図示）を介して連結されている。
そして、開閉機構２３の上部に操作ハンドル１８が連結されている。
操作ハンドル１８は、揺動式ハンドルレバー（不図示）の頂部に結合している断面円弧状の鍔状のベース部１８ｂと、このベース部１８ｂの中央から上方に起立した摘み部１８ａを備えた樹脂成形品からなり、カバー１６を上方から装着すると、摘み部１８ａがハンドル窓枠２１ａを貫通して外方に突出しており、摘み部１８ａをハンドル窓枠２１ａの長手方向にＯＮ，ＯＦＦ位置まで手動で操作する。
【００１５】
ここで、本実施形態の回路遮断器１５は、操作ハンドル１８の摘み部１８ａをハンドル窓枠２１ａに貫通させてカバー１６を装着する前に、摘み部１８ａに遊嵌したハンドルシャッター２４をベース部１８ｂに当接して配置し、このハンドルシャッター２４上に表示銘板２５を配置している。
ハンドルシャッター２４は、可撓性を有する平坦な長方形状のプラスチック板であり、このハンドルシャッター２４の長手方向の寸法Ｌ１は、ハンドル窓枠２１ａの長手方向開口寸法Ｌよりも大きく、このハンドルシャッター２４の短手方向の寸法もハンドル窓枠２１ａの短手方向開口寸法よりも大きく設定されている。
【００１６】
また、ハンドルシャッター２４には、摘み部１８ａを遊嵌する遊嵌穴２４ａが形成されている。この遊嵌穴２４ａは、摘み部１８ａの移動方向を長手方向とした長方形の穴である。そして、遊嵌穴２４ａは、短手方向寸法を摘み部１８ａの幅方向と同一寸法とし、長手方向寸法Ｌ２を、摘み部１８ａの基部の厚み（図２の符号１８ｃで示す部分の厚さ）より大きな寸法に設定している。
また、ハンドルシャッター２４の短手方向の両縁部には、長手方向に沿って凸状の一対のガイドレール２６が形成されている。
このハンドルシャッター２４は、一対のガイドレール２６を上方に向け、遊嵌穴２４ａに摘み部１８ａを遊嵌した状態でベース部１８ｂ上に配置されている。
【００１７】
一方、表示銘板２５も、可撓性を有する平坦な長方形状のプラスチック板であり、この表示銘板２５の長手方向の寸法Ｌ３は、ハンドルシャッター２４の遊嵌穴２４ａの長手方向寸法Ｌ２より大きな寸法に設定され、表示銘板２５の短手方向の寸法は、ハンドルシャッター２４に形成した一対のガイドレール２６の間の距離と同一寸法に設定されている。
この表示銘板２５には、摘み部１８ａの基部１８ｃの横断面形状と同一の四角形状で開口する嵌合穴２５ａが形成されている。
【００１８】
そして、表示銘板２５は、ハンドルシャッター２４の一対のガイドレール２６に短手方向の側部をスライド自在に係合し、嵌合穴２５ａに摘み部１８ａの基部１８ｃを係合させながらハンドルシャッター２４の上部に配置されている。
ここで、本発明に係る本体ケースがカバー１６及びケース１７に対応し、本発明に係る第１シャッターがハンドルシャッター２４に対応し、本発明に係る第２シャッターが表示銘板２５に対応し、本発明に係る案内部がガイドレール２６に対応している。
【００１９】
次に、操作ハンドル１８のベース部１８ｂとカバー１６（上部カバー２１）のハンドル窓枠２１ａの間にハンドルシャッター２４及び表示銘板２５を配置した回路遮断器１５において、操作ハンドル１８の摘み部１８ａをＯＦＦ位置に移動した操作状態を図３及び図４で示し、摘み部１８ａをＯＮ位置に移動した操作状態を図５及び図６で示す。
操作ハンドル１８の摘み部１８ａをＯＦＦ位置に移動するために、図３で示すように、ハンドルシャッター２４の遊嵌穴２４ａに遊嵌されている摘み部１８ａを図３の右側に移動する。この際、摘み部１８ａは、ハンドルシャッター２４の遊嵌穴２４ａの縁部に係合せずに長手方向の一方の端部（図３の右側端部）側に向けて移動していく。そして、摘み部１８ａの基部１８ｃが遊嵌穴２４ａの長手方向の一方の端部に当接した時点で、ハンドルシャッター２４が短いストロークで右方向に移動していく。そして、摘み部１８ａのＯＦＦ位置への移動が完了したときに、短いストロークで右方向に移動したハンドルシャッター２４が、ハンドル窓枠２１ａを下側から覆った状態で停止する。なお、この状態が、本発明で記載している、第１シャッターをハンドル窓枠の前後後端から前後方向に延在させてハンドル窓枠を閉塞することに対応する。
【００２０】
ここで、ハンドルシャッター２４の遊嵌穴２４ａは、摘み部１８ａが貫通している以外の領域が開口しているが、この開口した領域は、嵌合穴２５ａに摘み部１８ａの基部１８ｃを係合させて摘み部１８ａと一体に移動する表示銘板２５で覆われるので、ベース部１８ｂとハンドル窓枠２１ａとの間の隙間が閉塞される。なお、この状態が、本発明で記載している、第２シャッターを遊嵌穴の前後後端から前後方向に延在させて遊嵌穴を閉塞することに対応する。
【００２１】
そして、図４に示すように、表示銘板２５に表記した「Ｏ」及び「ＯＦＦ」という操作ハンドル１８をＯＦＦ位置に操作したという文字が、ハンドル窓枠２１ａから外部に表示される。
また、操作ハンドル１８の摘み部１８ａをＯＮ位置に移動するために、図５で示すように、摘み部１８ａを図５の左側に移動する。この際、摘み部１８ａは、ハンドルシャッター２４の遊嵌穴２４ａの縁部に係合せずに長手方向の他方の端部（図５の左側端部）側に向けて移動していく。そして、摘み部１８ａの基部１８ｃが遊嵌穴２４ａの長手方向の他方の端部に当接した時点で、ハンドルシャッター２４が短いストロークで左方向に移動していく。そして、摘み部１８ａのＯＮ位置への移動が完了したときに、短いストロークで左方向に移動したハンドルシャッター２４が、ハンドル窓枠２１ａを下側から覆った状態で停止する。
【００２２】
摘み部１８ａをＯＮ位置に移動しても、ハンドルシャッター２４の遊嵌穴２４ａは摘み部１８ａが貫通している以外の領域が開口しているが、この開口した領域は、摘み部１８ａと一体に移動する表示銘板２５で覆われるので、ベース部１８ｂとハンドル窓枠２１ａとの間の隙間が閉塞される。
そして、図６に示すように、表示銘板２５に表記した「Ｉ」及び「ＯＮ」という操作ハンドル１８をＯＮ位置に操作したという文字が、ハンドル窓枠２１ａから外部に表示される。
【００２３】
次に、本実施形態の回路遮断器１５の効果について説明する。
本実施形態の回路遮断器１５は、操作ハンドル１８の摘み部１８ａを遊嵌する遊嵌穴２４ａを形成してハンドル窓枠２１ａを覆うことが可能なハンドルシャッター２４と、摘み部１８ａと一体に移動し、摘み部１８ａが貫通している以外のハンドルシャッター２４の遊嵌穴２４ａを閉塞する表示銘板２５とを備え、ハンドルシャッター２４及び表示銘板２５からなる二段シャッター構造によってベース部１８ｂとハンドル窓枠２１ａとの間の隙間を閉塞することができ、ハンドル窓枠２１ａから装置内部に塵埃が侵入するのを防止することができる。
【００２４】
また、ハンドルシャッター２４は、操作ハンドル１８の摘み部１８ａを遊嵌する遊嵌穴２４ａを形成したことで、操作ハンドル１８がＯＮ，ＯＦＦ位置に移動するときに短いストローク（小さな可動スペース）となり、ハンドルシャッター２４がカバー１６とケース１７内部に搭載した他の遮断器機能部品と不当に干渉するおそれがないので、小型化を図ることができる。
また、ハンドルシャッター２４には、表示銘板２５の短手方向の両縁部を摺動自在に支持する一対のガイドレール２６が形成されているので、摘み部１８ｂとともに移動する表示銘板２５のスムーズな移動を得ることができる。
さらに、表示銘板２５は、本来の回路遮断器１５の動作表示機能とともに、装置内部への塵埃侵入を防止する部材を兼ねているので、装置コストの低減化を図ることができる。
【産業上の利用可能性】
【００２５】
以上のように、本発明に係る回路遮断器は、ベース部とハンドル窓枠との間の隙間を小さな可動スペースで閉塞して塵埃が侵入するのを防止する閉塞手段を備え、小型化を図るのに有用である。
【符号の説明】
【００２６】
１５…回路遮断器、１６…カバー、１７…ケース、１８…操作ハンドル、１８ａ…摘み部、１８ｂ…ベース部、１８ｃ…基部、１９…下部ケース、２０…中間ケース、２１…上部カバー、２１ａ…ハンドル窓枠、２１ｂ…接続部、２１ｃ…補助カバー、２２…過電流引外し装置、２３…開閉機構、２４…ハンドルシャッター、２４ａ…遊嵌穴、２５…表示銘板、２５ａ…嵌合穴、２６…ガイドレール
【図１】
2014162662.tif 000003
【図２】
2014162662.tif 000004
【図３】
2014162662.tif 000005
【図４】
2014162662.tif 000006
【図５】
2014162662.tif 000007
【図６】
2014162662.tif 000008
【図７】
2014162662.tif 000009
【手続補正書】
【提出日】平成26年7月29日(2014.7.29)
【手続補正１】
【補正対象書類名】特許請求の範囲
【補正対象項目名】全文
【補正方法】変更
【補正の内容】
【特許請求の範囲】
【請求項１】
ケースとカバーからなる本体ケースに、操作ハンドルを含む遮断器機能部品を搭載し、前記操作ハンドルが、揺動式ハンドルレバーの頂部に結合した鍔状のベースベース部の上面から摘み部が起立した状態とし、前記摘み部を前記カバーに開口したハンドル窓枠を貫通して外方に突き出し、
前記操作ハンドルの前記ベース部と前記ハンドル窓枠との間に、前記摘み部を遊嵌する遊嵌穴を形成して前記ベース部上に配置した第１シャッターと、前記摘み部とともに移動する第２シャッターとを備え、
前記第１シャッターの上部に前記第２シャッターが配置されているとともに、
前記操作ハンドルのＯＮ，ＯＦＦ位置において、前記第１シャッターを前記ハンドル窓枠の前後端縁から前後方向に延在させて前記ハンドル窓枠を閉塞し、前記第２シャッターで前記遊嵌穴の前後端縁から前後方向に延在させて前記遊嵌穴を閉塞することを特徴とする回路遮断器。
【請求項２】
前記第１シャッターに形成した前記遊嵌穴は、前記摘み部の移動方向を長手方向とした長穴であり、当該遊嵌穴の長手方向の端部に前記摘み部が当接したときに前記第１シャッターがストロークすることを特徴とする請求項１記載の回路遮断器。
【請求項３】
前記第２シャッターは嵌合穴を形成して前記摘み部の基部を嵌め込み、前記摘み部とともに一体に移動することを特徴とする請求項１又は２記載の回路遮断器。
【請求項４】
前記第１シャッターに、前記第２シャッターの移動方向を案内する案内部を備えたことを特徴とする請求項１記載の回路遮断器。
【請求項５】
前記第２シャッターは、操作ハンドルのＯＮ，ＯＦＦを表示する表示銘板であることを特徴とする請求項１記載の回路遮断器。
【手続補正書】
【提出日】平成27年9月25日(2015.9.25)
【手続補正１】
【補正対象書類名】特許請求の範囲
【補正対象項目名】請求項１
【補正方法】変更
【補正の内容】
【請求項１】
ケースとカバーからなる本体ケースに、操作ハンドルを含む遮断器機能部品を搭載し、前記操作ハンドルが、揺動式ハンドルレバーの頂部に結合した鍔状のベース部の上面から摘み部が起立した状態とし、前記摘み部を前記カバーに開口したハンドル窓枠を貫通して外方に突き出し、
前記操作ハンドルの前記ベース部と前記ハンドル窓枠との間に、前記摘み部を遊嵌する遊嵌穴を形成して前記ベース部上に配置した第１シャッターと、前記摘み部とともに移動する第２シャッターとを備え、
前記操作ハンドルのＯＮ，ＯＦＦ位置において、前記第１シャッターを前記ハンドル窓枠の前後端縁から前後方向に延在させて前記ハンドル窓枠を閉塞し、前記第２シャッターで前記遊嵌穴の前後端縁から前後方向に延在させて前記遊嵌穴を閉塞することを特徴とする回路遮断器。
【手続補正２】
【補正対象書類名】明細書
【補正対象項目名】０００３
【補正方法】変更
【補正の内容】
【０００３】
ところで、カバー２に開口したハンドル窓枠２ａを通じてケース１の内部に塵埃が侵入するのを防ぐには、摘み部８ｂの可動方向に延在するベース部８ａの寸法を、ハンドル窓枠２ａに対して大きな寸法に設定することが考えられる。しかし、他の遮断器機能部品の配置スペースとの関係で、操作ハンドル８のベース部８ａを大型に設定するのは難しく、回路遮断器全体が大型になるおそれがある。
そこで、本出願人は、特許文献２において、ベース部とハンドル窓枠との間に、摘み部に外嵌した状態でシート状のハンドルシャッターを布設し、このハンドルシャッターを摘み部とともに移動させることで、ベース部とハンドル窓枠との間の隙間を塞ぐとともに、寸法の小さなベース部とすることで操作ハンドル８の小型化を図った技術を提案した。
【手続補正３】
【補正対象書類名】明細書
【補正対象項目名】０００５
【補正方法】変更
【補正の内容】
【０００５】
しかし、特許文献２の技術は、ケース１内部で摘み部とともに移動するハンドルシャッターの大きな可動スペースが必要なことから、他の遮断器機能部品との配置スペースで制約がある。
そこで、本発明は、ベース部とハンドル窓枠との間の隙間を小さな可動スペースで閉塞して塵埃が侵入するのを防止する閉塞手段を備え、小型化を図ることができる回路遮断器を提供することを目的としている。
【手続補正４】
【補正対象書類名】明細書
【補正対象項目名】０００６
【補正方法】変更
【補正の内容】
【０００６】
上記目的を達成するために、本発明の一態様に係る回路遮断器は、ケースとカバーからなる本体ケースに、操作ハンドルを含む遮断器機能部品を搭載し、上記操作ハンドルが、揺動式ハンドルレバーの頂部に結合した鍔状のベース部の上面から摘み部が起立した状態とし、上記摘み部を上記カバーに開口したハンドル窓枠を貫通して外方に突き出し、上記操作ハンドルの上記ベース部と上記ハンドル窓枠との間に、上記摘み部を遊嵌する遊嵌穴を形成して上記ベース部上に配置した第１シャッターと、上記摘み部とともに移動する第２シャッターとを備え、上記操作ハンドルのＯＮ，ＯＦＦ位置において、上記第１シャッターを上記ハンドル窓枠の前後端縁から前後方向に延在させて前記ハンドル窓枠を閉塞し、上記第２シャッターで上記遊嵌穴の前後端縁から前後方向に延在させて上記遊嵌穴を閉塞するようにした。
この発明の一態様に係る回路遮断器によると、第１シャッター及び第２シャッターからなる二段シャッター構造によってベース部とハンドル窓枠との間の隙間を閉塞することができ、ハンドル窓枠から装置内部に塵埃が侵入するのを防止することができる。
【手続補正５】
【補正対象書類名】明細書
【補正対象項目名】００１９
【補正方法】変更
【補正の内容】
【００１９】
次に、操作ハンドル１８のベース部１８ｂとカバー１６（上部カバー２１）のハンドル窓枠２１ａの間にハンドルシャッター２４及び表示銘板２５を配置した回路遮断器１５において、操作ハンドル１８の摘み部１８ａをＯＦＦ位置に移動した操作状態を図３及び図４で示し、摘み部１８ａをＯＮ位置に移動した操作状態を図５及び図６で示す。
操作ハンドル１８の摘み部１８ａをＯＦＦ位置に移動するために、図３で示すように、ハンドルシャッター２４の遊嵌穴２４ａに遊嵌されている摘み部１８ａを図３の右側に移動する。この際、摘み部１８ａは、ハンドルシャッター２４の遊嵌穴２４ａの縁部に係合せずに長手方向の一方の端部（図３の右側端部）側に向けて移動していく。そして、摘み部１８ａの基部１８ｃが遊嵌穴２４ａの長手方向の一方の端部に当接した時点で、ハンドルシャッター２４が短いストロークで右方向に移動していく。そして、摘み部１８ａのＯＦＦ位置への移動が完了したときに、短いストロークで右方向に移動したハンドルシャッター２４が、ハンドル窓枠２１ａを下側から覆った状態で停止する。なお、この状態が、本発明で記載している、第１シャッターをハンドル窓枠の前後端縁から前後方向に延在させてハンドル窓枠を閉塞することに対応する。
【手続補正６】
【補正対象書類名】明細書
【補正対象項目名】００２０
【補正方法】変更
【補正の内容】
【００２０】
ここで、ハンドルシャッター２４の遊嵌穴２４ａは、摘み部１８ａが貫通している以外の領域が開口しているが、この開口した領域は、嵌合穴２５ａに摘み部１８ａの基部１８ｃを係合させて摘み部１８ａと一体に移動する表示銘板２５で覆われるので、ベース部１８ｂとハンドル窓枠２１ａとの間の隙間が閉塞される。なお、この状態が、本発明で記載している、第２シャッターを遊嵌穴の前後端縁から前後方向に延在させて遊嵌穴を閉塞することに対応する。
【手続補正７】
【補正対象書類名】明細書
【補正対象項目名】００２４
【補正方法】変更
【補正の内容】
【００２４】
また、ハンドルシャッター２４は、操作ハンドル１８の摘み部１８ａを遊嵌する遊嵌穴２４ａを形成したことで、操作ハンドル１８がＯＮ，ＯＦＦ位置に移動するときに短いストローク（小さな可動スペース）となり、ハンドルシャッター２４がカバー１６とケース１７内部に搭載した他の遮断器機能部品と不当に干渉するおそれがないので、小型化を図ることができる。
また、ハンドルシャッター２４には、表示銘板２５の短手方向の両縁部を摺動自在に支持する一対のガイドレール２６が形成されているので、摘み部１８ａとともに移動する表示銘板２５のスムーズな移動を得ることができる。
さらに、表示銘板２５は、本来の回路遮断器１５の動作表示機能とともに、装置内部への塵埃侵入を防止する部材を兼ねているので、装置コストの低減化を図ることができる。
【国際調査報告】
2014162662.tif 000010
2014162662.tif 000011
2014162662.tif 000012